【手続補正書】
【提出日】平成21年8月17日(2009.8.17)
【手続補正１】
【補正対象書類名】明細書
【補正対象項目名】全文
【補正方法】変更
【補正の内容】
【発明の詳細な説明】
【発明の名称】遊技機用基板ボックス
【技術分野】
【０００１】
本発明は、遊技機用基板ボックスに関する。
【背景技術】
【０００２】
パチンコ機等の遊技機において、基板ボックスは制御プログラムを記録した電子部品やコネクタ等を実装した基板を収容し、電子部品を交換する等の不正を防止するために封印されている。
【発明の概要】
【発明が解決しようとする課題】
【０００３】
上述した従来の基板ボックスにおいては、異物を挿入して上記基板上に装着された電子部品を交換する不正がなされる場合があった。
【０００４】
本発明は、上記課題をかんがみてなされたもので、異物を挿入して上記基板上に装着された電子部品が交換されることを抑制することが可能な遊技機用基板ボックスの提供を目的とする。
【課題を解決するための手段】
【０００５】
上記目的を達成するため、請求項１記載の遊技機用基板ボックスは、配線ケーブルを接続するための接続口を備え、制御基板を収容する基板ボックスであって、前記制御基板は、前記接続口に対応して設けられ前記配線ケーブルを接続するためのコネクタと、制御プログラムを記録した電子部品と、を基板上に備え、前記基板ボックスは、基板ボックスベースと、該基板ボックスベースと係合され、前記電子部品が配設される基板面と対応する天井面を有する基板ボックスカバーと、を備え、前記基板ボックスは、前記基板ボックスカバーと前記基板ボックスベースとによって前記制御基板を収容した場合に、前記天井面と前記電子部品が配設される基板面との間に、前記電子部品の周囲を囲う遮蔽部材を配設したことを特徴とする。
【０００６】
【０００７】
【発明の効果】
【０００８】
以上説明したように本発明は、基板ボックスに収容されている基板上に装着された電子部品を、異物を挿入して交換する不正を抑制することの可能な遊技機用基板ボックスを提供することができる。
【発明を実施するための形態】
【０００９】
以下、図面にもとづいて本発明の実施形態を説明する。図１は本発明の一実施形態にかかる遊技機用基板ボックスを分解斜視図により示し、図２は同基板ボックスを透視斜視図により示している。
【００１０】
同図において、基板ボックス１０は、ともに上面を開口した薄箱形に形成されて合体可能な金属製下ケース２０と金属製上ケース３０とから構成されており、プリント基板４０を収容可能となっている。また、金属製上ケース３０における長手方向の側壁端部には一対の凹部３０ａ，３０ａを形成してあるため、両金属製下ケース２０と金属製上ケース３０の開口面を対面させて合体したときに、合わせ面に導出口３２，３２が形成され、プリント基板４０に接続された二本のフラットケーブル５０，５０を外部に導出可能となっている。
【００１１】
金属製下ケース２０と金属製上ケース３０における一方の側壁には係止構造を形成してある。この係止構造は、金属製上ケース３０の側壁から帯板片を延設しつつ先端を内側方向への断面クランク形に屈曲した係止片３４，３４，３４と、金属製下ケース２０の側壁に形成されて上記係止片３４，３４，３４の先端を挿入可能なスリット２２，２２，２２とから構成され、同係止片３４，３４，３４の先端の屈曲部分がスリット２２，２２，２２を貫通することにより、金属製下ケース２０と金属製上ケース３０とは少なくとも上下方向に離反不能となり、合体状態となる。
【００１２】
一方、金属製下ケース２０の底壁の四隅にはステー状の雌ネジ２４が植設されており、下端を雄ネジに形成するとともに上端には雌ネジを形成した取り付けステー２６を螺合可能となっている。すなわち、雌ネジ２４上にプリント基板４０を載置した状態で、この取り付けステー２６を雌ネジ２４に螺合させることにより、間に挟まれたプリント基板４０をネジ止め固定する。また、取り付けステー２６の上端には雌ネジが形成されているため、上述したようにして金属製下ケース２０に対して金属製上ケース３０を係合させた後、同金属製上ケース３０をネジ止め可能となっている。なお、同金属製下ケース２０の両短手方向の側壁と一方の長手方向の側壁の端部に金属製上ケース３０の側壁内側へ回り込むようにガイド壁２８，２８，２８を形成してあり、突き合わせ部分で二重に重なって隙間を生じにくくしている。
【００１３】
プリント基板４０は、基板ボックス１０内に収容可能な矩形形状に形成され、上記導出口３２，３２に近い側の縁部表面にはフラットケーブル５０，５０を結線可能な一組のコネクタ４２，４２を装着するとともに、同コネクタ４２，４２と反対側の縁部表面には制御プログラムを記録したＲＯＭ４４を装着している。従って、プリント基板４０を当該基板ボックス１０内に収容した状態でコネクタ４２，４２に上記フラットケーブル５０，５０を結線せしめ、同フラットケーブル５０，５０を外部へ導出せしめて図示しない外部機器と接続可能となっている。
【００１４】
本実施形態においては、このような金属製下ケース２０と金属製上ケース３０とを互いに対面せしめて合体するようにしているが、内部にプリント基板４０を収容しつつ導出口３２，３２を介してフラットケーブル５０，５０のような配線ケーブルを導出可能なものであればよい。従って、一方を筺体としつつ他方を蓋体として形成することもできる。また、必ずしも金属製である必要もなく、樹脂にて形成することもできる。
【００１５】
金属製上ケース３０の天面中央には内部を視認するための窓枠３１を打ち抜き形成してあり、当該金属製上ケース３０の内側から透明の樹脂材６０を装着して同窓枠３１を塞いでいる。また、同樹脂材６０における内側面であって基板ボックス１０合体時に上記プリント基板４０のコネクタ４２，４２装着位置よりも上記ＲＯＭ４４側に対面する位置には、遮蔽壁６２を形成してある。この遮蔽壁６２は図２に示すように金属製上ケース３０の内面天井面からプリント基板４０表面に達する長さであるとともに、基板ボックス１０内を長手方向に縦断するように形成されており、この意味でコネクタ４２，４２装着部位よりも内側であって導出口３２，３２に対して基板ボックス１０内外を遮蔽しているといえる。
【００１６】
ここで、必ずしも基板ボックス１０は金属製である必要がないことから、同基板ボックス１０が樹脂製であるときには上記遮蔽板６２を一体的に形成することも可能である。また、上記遮蔽板６２は、必ずしも基板ボックス１０を構成するケーシングの側に形成する必要はなく、例えば、図３に示すように、板状の部材をコの字型に成形した遮蔽部材７０を上記ＲＯＭ４４とコネクタ４２，４２との間を仕切るように装着しても良い。この場合、遮蔽部材７０の折り曲げ部分の底面には一対の固定ピン７０ａ，７０ａを形成するとともに、プリント基板４０の上面にはピン溝４０ａ，４０ａを設けておき、同固定ピン７０ａ，７０ａを同ピン溝４０ａ，４０ａに位置合わせして遮蔽部材７０をプリント基板４０上に装着する。また、遮蔽部材７０の高さはプリント基板４０の表面から金属製上ケース３０の天井面までの高さにしておくと、同プリント基板４０を基板ボックス１０に収容したときに同遮蔽部材７０の頂面が金属製上ケース３０の天井面に密着するため、遮蔽部材７０を所定位置に固定できるとともに、同基板ボックス１０の合体後、図４に示すように、上記ＲＯＭ４４は上記遮蔽部材７０により導出口３２，３２を介した外部から遮蔽されることとなり、同導出口３２，３２から異物を挿入して同ＲＯＭ４４を取り外すことはできなくなる。なお、遮蔽部材７０の両側端面が金属製上ケース３０の内側側壁に密着するように形成しておくと、遮断する効果が向上する。この例では、当該遮蔽材７０はコネクタ４２，４２以外の部分を遮蔽することになる。
【００１７】
さらに、図５に示すように、パンチングメタルにて上記基板ボックス１０よりも一回り小さくしてその内側面に接する程度の遮蔽枠８０を形成しても良い。この遮蔽枠８０にはコネクタ４２，４２の装着位置に対応して凹部８０ａを形成しておき、金属製下ケース２０上にプリント基板４０を装着した後、金属製上ケース３０との間に挟み込む。すると、上記ＲＯＭ４４とコネクタ４２，４２との間を凹部８０ａで仕切ることができるとともに、同ＲＯＭ４４は上記導出口３２，３２を介した外部から遮断されることとなる。このとき、遮蔽枠８０は、必ずしも上述したようにパンチングメタルで構成する必要はないが、通気口を備えることによって基板ボックス１０内からの放熱が可能となる。むろん、その素材は金属板に限る必要はなく、樹脂板にて形成することも可能である。なお、図６に遮蔽枠８０を単体で示している。
【００１８】
次に、上記構成からなる本実施形態の動作を説明する。金属製下ケース２０の内部四隅に備えられたステー状の雌ネジ２４上にプリント基板４０を載置し、これを貫通させるようにして取り付けステー２６の雄ネジを雌ネジ２４に対して螺合させる。すると、取り付けステー２６の胴部部分でプリント基板４０を雌ネジ２４に対して締め付け固定できる。この後、フラットケーブル５０，５０は金属製下ケース２０の側壁を乗り越えて外側に導出され、金属製上ケース３０を上方より被覆する。このとき、一対のフラットケーブル５０，５０を係止片３４，３４，３４の間に通し、各係止片３４，３４，３４の先端を金属製下ケース２０の側壁に形成したスリット２２，２２，２２に対して外側から挿入すると、同フラットケーブル５０，５０は金属製上ケース３０の凹部３０ａ，３０ａに入り込み、導出口３２，３２より外部に導出されることになる。また、クランク状の屈曲部分がスリット２２，２２，２２を貫通するようにして金属製上ケース３０を金属製下ケース２０の側に被せていくと、同金属製下ケース２０の側壁端部から延設されるガイド壁２８，２８，２８が金属製上ケース３０の側壁の内側に入り込み、突き合わせ部分に隙間を生じることなく金属製上ケース３０と金属製下ケース２０とを合体固定する。
【００１９】
上述した一連の動作と並行して、上記基板ボックス１０内では、金属製上ケース３０の内側に装着された樹脂材６０の遮蔽板６２の先端が上記プリント基板４０の上面に密着する。このとき、遮蔽板６２は上記コネクタ４２，４２とＲＯＭ４４とを仕切る位置に形成されているので、同ＲＯＭ４４を上記導出口３２，３２を介した外部から遮蔽する。このように、収容されるプリント基板４０上に装着されたコネクタ４２，４２に結線された配線ケーブル５０，５０は、基板ボックス１０の長手方向の側壁に形成される導出口３２，３２を介して外部へ導出されるが、同時に金属製上ケース３０の内側に配設された遮蔽板６２の先端が上記コネクタ４２，４２とＲＯＭ４４とを仕切るように上記プリント基板４０の上面に密着するため、同ＲＯＭ４４は上記導出口３２，３２を介した外部から遮蔽され、同導出口３２，３２から異物を挿入することができず、上記ＲＯＭ４４を取り外すことはできなくなる。
【図面の簡単な説明】
【００２０】
【図１】本発明の一実施形態にかかる遊技機用基板ボックスの分解斜視図である。
【図２】同基板ボックスの透視斜視図である。
【図３】変形例にかかる遮蔽壁を示す斜視図である。
【図４】同遮蔽壁を装着した基板ボックスの透視斜視図である。
【図５】他の変形例にかかる遮蔽壁を装着した基板ボックスの透視斜視図である。
【図６】同遮蔽壁を示す斜視図である。
【符号の説明】
【００２１】
１０…基板ボックス（遊技機用基板ボックス）
２０…金属製下ケース（基板ボックスベース）
２２…スリット
２４…雌ネジ
２６…取り付けステー
２８…ガイド壁
３０…金属製上ケース（基板ボックカバー）
３０ａ…凹部
３２…導出口（接続口）
３４…係止片
４０…プリント基板（制御基板）
４０ａ…ピン溝
４２…コネクタ
４４…ＲＯＭ（電子部品）
５０…フラットケーブル（配線ケーブル）
６０…樹脂材
６２…遮蔽板
７０…遮蔽部材
７０ａ…固定ピン
８０…遮蔽枠（遮蔽部材）
８０ａ…凹部
【手続補正２】
【補正対象書類名】特許請求の範囲
【補正対象項目名】全文
【補正方法】変更
【補正の内容】
【特許請求の範囲】
【請求項１】
配線ケーブルを接続するための接続口を備え、制御基板を収容する基板ボックスであって、
前記制御基板は、
前記接続口に対応して設けられ前記配線ケーブルを接続するためのコネクタと、
制御プログラムを記録した電子部品と、を基板上に備え、
前記基板ボックスは、
基板ボックスベースと、
該基板ボックスベースと係合され、前記電子部品が配設される基板面と対応する天井面を有する基板ボックスカバーと、を備え、
前記基板ボックスは、
前記基板ボックスカバーと前記基板ボックスベースとによって前記制御基板を収容した場合に、前記天井面と前記電子部品が配設される基板面との間に、前記電子部品の周囲を囲う遮蔽部材を配設したことを特徴とする遊技機用基板ボックス。